(57)【要約】【課題】  詳細で、且つ高い奥行き感を有する立体画像を表示することによって、遊技者対して、期待感を高める装飾効果、演出効果を奏することが可能であると共に、高温下の環境において、長期間に亘って上記効果が劣化することが無い遊技台を提供する。【解決手段】  遊技台の筐体、若しくは内装部品において、遊技者が視認可能な所定の位置に、レンチキュラーレンズが配設された遊技台であって、上記レンチキュラーレンズは、合成樹脂のシート材と、上記シート材の表面に複数本並列して配置された細長半円柱形の凸レンズとから形成され、上記凸レンズは、上記シート材の幅寸法１インチあたりに１００本乃至１３０本の範囲で配置されると共に、上記レンチキュラーレンズの厚さ寸法は０．３５ｍ乃至０．５ｍｍの範囲に形成された構成とする。【選択図】  図２
0003166707.tif 000002
【実用新案登録請求の範囲】
【請求項１】
遊技台の筐体、若しくは内装部品において、遊技者が視認可能な所定の位置に、レンチキュラーレンズが配設された遊技台であって、
上記レンチキュラーレンズは、合成樹脂のシート材と、上記シート材の表面に複数本並列して配置された略半円柱形の凸レンズとから形成され、
上記凸レンズは、上記シート材の幅寸法１インチあたりに１００本乃至１３０本の範囲で配置されると共に、上記レンチキュラーレンズの厚さ寸法は０．３５ｍ乃至０．５ｍｍの範囲に形成されていることを特徴とする遊技台。
【請求項２】
上記遊技台は、筐体の内部に、複数のシンボルが描画された複数の回転リールを備えると共に、上記筐体の前面パネルには、上記回転リールの一部のシンボルを視認しうる表示窓が設けられ、
上記レンチキュラーレンズは、上記表示窓の表面に配設されていることを特徴とする請求項１記載の遊技台。
【請求項３】
上記遊技台は、筐体の内部に、複数のシンボルが描画された複数の回転リールを備えると共に、上記筐体の前面パネルには、上記回転リールの一部のシンボルを視認しうる表示窓が設けられ、
上記レンチキュラーレンズは、各回転リールの外周面部において、特定のシンボルの表示位置に配設されていることを特徴とする請求項１記載の遊技台。
【請求項４】
上記レンチキュラーレンズは、上記レンチキュラーレンズを形成する凸レンズが上記回転体の回転方向に沿って配置されるように、筐体の視認可能な所定位置に配設されることを特徴とする請求項２または請求項３記載の遊技台。
【請求項５】
上記レンチキュラーレンズは、上記レンチキュラーレンズを形成する凸レンズが上記回転体の回転方向に対して直交する方向に沿って配置されるように、筐体の視認可能な所定位置に配設されることを特徴とする請求項２または請求項３記載の遊技台。
【請求項６】
上記筐体の前面パネルの所定位置に、上記遊技台が遊技者に優位な状態に移行した場合に、遊技者に対して特定のシンボルを表示することにより通知する予告表示部を備え、
上記レンチキュラーレンズは、上記予告表示部に配設されていることを特徴とする請求項１記載の遊技台。
【請求項７】
上記筐体の前面パネルには、所定の装飾が施された装飾部が設けられ、
上記レンチキュラーレンズは、上記装飾部に配設されていることを特徴とする請求項１記載の遊技台。
【考案の詳細な説明】
【技術分野】
【０００１】
本考案は、スロットマシン等の遊技台に係り、特に筐体もしく内装部品において、遊技者が視認可能な所定位置にレンチキュラーレンズが装着された遊技台に関する。
【背景技術】
【０００２】
スロットマシン等の遊技台には、遊技中において、遊技者の期待感を刺激すると共に、娯楽性をより向上させるための様々な視覚的工夫がなされている。
【０００３】
例えば、スロットマシンの場合、回転リールが回転する際に、音声、発光等により、装飾効果、及び演出効果を高めている。
また、遊技台が、ボーナスゲーム等、遊技者に有利な状態に移行する場合に、それを音声、光等で遊技者に予め通知する予告通知機能等を備えている。
【０００４】
しかしながら、スロットマシンは、既に多くのメーカから、多彩な機種が発売されており、音声、発光による演出のみでは斬新性に欠け、遊技者もすぐに飽きてしまうという不具合を有していた。
【０００５】
上記不具合を解決するため、回転リールの特定シンボル位置にレンチキュラーレンズを配置したスロットマシンが提案されている（特許文献１）。
上記特許文献１に係るスロットマシン７０は、図３ａに示すように、回転リール７１において、特定シンボル位置７２にレンチキュラーレンズ７３が配設されている。
【０００６】
上記レンチキュラーレンズ７３は、図３ｂに示すように、透明な合成樹脂製のシート材７４の一方面部に、細長い略半円柱型の凸レンズ７５が多数並列して配設されることにより形成されている。
【０００７】
また、図３ａ及びｂに示すように、上記凸レンズ７５は、図中矢印Ａの方向、すなわち上記回転リール７１の回転方向に沿って配置されている。
図３ｂに示すように、上記凸レンズ７５は、入光角度により屈折率が異なるため、立体物を視認した場合に、右目で見える像と、左目で見える像と同じ像７６ａ、７６ｂを、上記回転リールのシンボル７６上において、交互に描画しておくことによって、表示窓７８から、上記レンチキュラーレンズ７３を介して上記シンボル７６を視認した場合に、右目では上記像７６ａのみが視認され、左目では上記像７６ｂのみが視認される。
従って、実際に立体物を視認した場合と同様に、回転リール７１に描画されたシンボル７６が、立体的に浮き上がって視認される。
【０００８】
また、図４ａ，ｂ、ｃに示すように、上記凸レンズ７５を、図中矢印Ａの方向、すなわち上記回転リール７１の回転方向に対して直交する方向に沿って配置した場合、図４ｂ、ｃに示すように、回転リール７１回転に伴って、視認しうる像が第１像７７ａ、第２像７７ｂに交互に切り替わる。従って、回転リール７１上において、上記第１像７７ａ、第２像７７ｂを回転方向に沿って交互に描画することによって、回転リール７１の回転に伴い、表示窓７８からレンチキュラーレンズ７３を介して視認した場合に、シンボル７７が、第１像７７ａ、第２像７７ｂに交互に切り替わりながら視認される。
【０００９】
上記特許文献１に係るスロットマシンは、単純な音声、及び光による演出と比較して、視覚的インパクトが大きく、演出効果が高く、遊技者の期待感を強く刺激する。
【００１０】
しかしながら、上記特許文献１においては、装着するレンチキュラーレンズの仕様については全く言及されていない。
上述の通り、レンチキュラーレンズは、透明な合成樹脂製のシート材の一方面部に、細長い略半円柱型の凸レンズが多数並列して配設されることにより形成されている。
上記レンチキュラーレンズにおいて、より繊細な表示を行うためには、レンチキュラーレンズ配置された凸レンズを、より細くし、上記シート材の所定幅内に配置される凸レンズの本数を多くする必要がある。
従って、一定幅寸法内の凸レンズ８１の配置本数を増加させるためには、図５に示すように、凸レンズ８１ａ、８１ｂ、８１ｃのように、凸レンズの径寸法を順次小さくする必要がある。
上記凸レンズ８１が径寸法が小さくなるに従い、レンチキュラーレンズ８０全体の厚さ寸法も小さくなる。
【００１１】
また、スロットマシンの回転リール等の内装部品は、常に通電状態で稼働しているため、筐体内部の電子部品から発生する熱によって、７０℃の高温状態となる。
従って、高温下の環境において、長期間使用した場合であっても、熱変形を起こすことが無いように、レンチキュラーレンズは所定の厚みを確保して、内装部品からの熱伝導を防止する必要がある。
また、レンチキュラーレンズの厚さ寸法が大きくなることによって、立体表示の奥行き間はより高まる旨の作用も生じる。
【００１２】
以上のように、立体画像をより鮮明に表現する要件と、奥行き感を確保し、且つスロットマシン筐体内の高温にも耐えるための要件は、レンチキュラーレンズの厚さ寸法に関して、相反する条件を有しているため、何れの要件をも最適に調整することは、非常に困難であり、レンチキュラーレンズの品質確保上非常に重要な課題であった。
【００１３】
しかしながら、上記特許文献１においては、上記のレンチキュラーレンズの厚さ及び、凸レンズの配置本数等については、記載されておらず、効果的な演出効果を得るための必須の要件である、上記の条件について全く言及されておらず、適切な演出効果を得られるかは不明である。
【特許文献１】特開２００４−１９５２６８号
【考案の開示】
【考案が解決しようとする課題】
【００１４】
本考案の解決する課題は、詳細で、且つ高い奥行き感を有する立体画像を表示することによって、遊技者対して、期待感を高める装飾効果、演出効果を奏することが可能であると共に、筐体内の高温下の環境において、長期間に亘って上記効果が劣化することが無い遊技台を提供することにある。
【課題を解決するための手段】
【００１５】
上記課題を解決するために、請求項１に記載した考案に係る遊技台は、遊技台の筐体、若しくは内装部品において、遊技者が視認可能な所定の位置に、レンチキュラーレンズが配設された遊技台であって、上記レンチキュラーレンズは、合成樹脂のシート材と、上記シート材の表面に複数本並列して配置された細長半円柱形の凸レンズとから形成され、上記凸レンズは、上記シート材の幅寸法１インチあたりに１００本乃至１３０本の範囲で配置されると共に、上記レンチキュラーレンズの厚さ寸法は０．３５ｍ乃至０．５ｍｍの範囲に形成されていることを特徴とする。
【００１６】
従来、レンチキュラーレンズの厚さ寸法を０．３５ｍ程度にした場合、凸レンズの配置密度は７５ＬＰＩ（ＬＰＩ:line per inch）程度であり、凸レンズの配置密度を１００から１３０ＬＰＩにした場合には、レンチキュラーレンズの厚さ寸法は０．１７ｍｍ程度となる。
本考案にあっては、凸レンズの下方のシート材の厚みを調整する等によって、厚さ寸法を０．３５ｍ乃至０．５ｍｍに保持しつつ、凸レンズの配置密度を１００から１３０ＬＰＩに調整したことから、より詳細な立体画像の表現が可能となると共に、高温となる内装部品等にレンチキュラーレンズを配設した場合であっても、熱が凸レンズ部分に伝導し難くなる。
【００１７】
また、請求項２に記載した考案に係る遊技台は、上記遊技台は、筐体の内部に、複数のシンボルが描画された複数の回転リールを備えると共に、上記筐体の前面パネルには、上記回転リールの一部のシンボルを視認しうる表示窓が設けられ、上記レンチキュラーレンズは、上記表示窓の表面に配設されていることを特徴とする。
従って、表示窓の位置において、回転リールのシンボルがレンチキュラーレンズを介して立体表示、若しくは切り替え表示される。
【００１８】
また、請求項３に記載した考案に係る遊技台は、筐体の内部に、複数のシンボルが描画された複数の回転リールを備えると共に、上記筐体の前面パネルには、上記回転リールの一部のシンボルを視認しうる表示窓が設けられ、上記レンチキュラーレンズは、各回転リールの外周面部において、特定のシンボルの表示位置に配設されていることを特徴とする。
従って、表示窓の位置において、特定のシンボルが視認される場合にのみ、上記特定シンボルがレンチキュラーレンズを介して立体表示、若しくは切り替え表示される。
【００１９】
また、請求項４に記載した考案に係る遊技台は、上記レンチキュラーレンズは、上記レンチキュラーレンズを形成する凸レンズが上記回転体の回転方向に沿って配置されるように、筐体の視認可能な所定位置に配設されることを特徴とする。
従って、表示窓の位置において、回転リールが停止した際に、回転リールのシンボルが、上記レンチキュラーレンズを介して立体表示される。
【００２０】
また、請求項５に記載した考案に係る遊技台は、上記レンチキュラーレンズは、上記レンチキュラーレンズを形成する凸レンズが上記回転体の回転方向に対して直交する方向に沿って配置されるように、筐体の視認可能な所定位置に配設されることを特徴とする。
従って、回転リールの回転中に、表示窓の位置において、上記表示窓の位置において、上記回転リールのシンボルの形状、若しくは色彩が切り替え表示される。
【００２１】
また、請求項６に記載した考案に係る遊技台は、上記筐体の前面パネルの所定位置に、上記遊技台が遊技者に優位な状態に移行した場合に、遊技者に対して特定のシンボルを表示することにより通知する予告表示部を備え、上記レンチキュラーレンズは、上記予告表示部に配設されていることを特徴とする。
従って、遊技者が優位な状態に移行したことを、迅速に認知しうる。
【００２２】
また、請求項７に記載した考案に係る遊技台は、上記筐体の前面パネルには、所定の装飾が施された装飾部が設けられ、上記レンチキュラーレンズは、上記装飾部に配設されていることを特徴とする。
従って、装飾の幅が広がると共に、遊技場内でも目立たせることができる。
【考案の効果】
【００２３】
請求項１の考案にあっては、遊技台の筐体、若しくは内装部品において、遊技者が視認可能な所定の位置に、レンチキュラーレンズが配設された遊技台であって、上記レンチキュラーレンズは、合成樹脂のシート材と、上記シート材の表面に複数本並列して配置された細長半円柱形の凸レンズとから形成され、上記凸レンズは、上記シート材の幅寸法１インチあたりに１００本乃至１３０本の範囲で配置されると共に、上記レンチキュラーレンズの厚さ寸法は０．３５ｍ乃至０．５ｍｍの範囲に形成されていることから、従来のレンチキュラーレンズと比較して、詳細で、且つ高い奥行き感を有する立体画像を表示することによって、遊技者対して、期待感を高める装飾効果、演出効果を奏することが可能であると共に、高温下の環境においても、長期間に亘って上記効果が劣化することが無い遊技台を提供することができる。
【００２４】
また、請求項２の考案にあっては、筐体の内部に、複数のシンボルが描画された複数の回転リールを備えると共に、上記筐体の前面パネルには、上記回転リールの一部のシンボルを視認しうる表示窓が設けられ、上記レンチキュラーレンズは、上記表示窓の表面に配設されていることから、上記表示窓を介して、回転リールに描画されたシンボルが、レンチキュラーレンズを介して立体表示、若しくは切り替え表示される。
従って、遊技時における装飾効果及び演出効果をより高めることができる。
【００２５】
また、請求項３の考案にあっては、上記遊技台は、筐体の内部に、複数のシンボルが描画された複数の回転リールを備えると共に、上記筐体の前面パネルには、上記回転リールの一部のシンボルを視認しうる表示窓が設けられ、上記レンチキュラーレンズは、各回転リールの外周面部において、特定のシンボルの表示位置に配設されていることから、表示窓の位置において、特定のシンボルが視認される場合にのみ、上記特定シンボルがレンチキュラーレンズを介して立体表示、若しくは切り替え表示される。
従って、特定シンボルをボーナスゲームに移行するシンボルに設定することによって、遊技者の期待感を、より高めることができる。
【００２６】
また、請求項４の考案にあっては、上記レンチキュラーレンズは、上記レンチキュラーレンズを形成する凸レンズが上記回転体の回転方向に沿って配置されるように、筐体の視認可能な所定位置に配設されることを特徴とする。
従って、表示窓の位置において、回転リールが停止した際に、回転リールのシンボルが、上記レンチキュラーレンズを介して立体表示され、遊技時における装飾効果及び演出効果をより高めることができる。
また、請求項５の考案にあっては、上記レンチキュラーレンズは、上記レンチキュラーレンズを形成する凸レンズが上記回転体の回転方向に対して直交する方向に沿って配置されるように、筐体の視認可能な所定位置に配設されることから、回転リールの回転中に、表示窓の位置において、上記表示窓の位置において、上記回転リールのシンボルの形状若しくは色彩が切り替え表示されるため、遊技中の装飾効果及び演出効果をより高めることができる。
【００２７】
また、請求項６の考案にあっては、上記筐体の前面パネルの所定位置に、上記遊技台が遊技者に優位な状態に移行した場合に、遊技者に対して特定のシンボルを表示することにより通知する予告表示部を備え、上記レンチキュラーレンズは、上記予告表示部に配設されていることから、遊技者は、ボーナスゲーム等の、遊技者に優位な状態に移行したことを、迅速に認知しうるため、遊戯中の期待感を、より高めることができる。
【００２８】
また、請求項７に記載した考案に係る遊技台は、上記筐体の前面パネルには、所定の装飾が施された装飾部が設けられ、上記レンチキュラーレンズは、上記装飾部に配設されていることから、装飾の幅が広がると共に、遊技場内でも際立たせることから、遊技者のみならず、遊技者以外の者に対しても興味を引き付け易くなる。
【図面の簡単な説明】
【００２９】
【図１】本考案の実施例に係るスロットマシンの前面パネルの構成を示す正面図である。
【図２】本考案の一実施の形態を示し、（ａ）は本実施例に係るレンチキュラーレンズ１３の厚さ方向断面図であり、図２（ｂ）は（ａ）の一部拡大図である。
【図３】本考案の一実施の形態を示し、スロットマシンの回転リールに描画されるシンボルとレンチキュラーレンズの配置方向の関係を示す概念図である。
【図４】従来のスロットマシンにおいて、レンチキュラーレンズを、凸レンズが回転リールの回転方向に直交する方向に沿って装着した場合を示し、（ａ）は回転リールと表示窓の側方断面図、（ｂ）及び（ｃ）は上記レンチキュラーレンズ、目、及び回転リールのシンボルとの関係を示す概念図である。
【図５】従来のレンチキュラーレンズにおいて、凸レンズの大きさを変化させた場合を示す、厚さ方向拡大断面図である。
【考案を実施するための最良の形態】
【００３０】
本考案を実施するための形態について、遊技台がスロットマシンであり、レンチキュラーレンズが、回転リールの特定シンボル、前面パネルの予告表示部、及び装飾部に装着されている場合を例に、添付図面を用いて以下説明する。
図１に示すように、本実施例に係るスロットマシン１０は、筐体１１若しくは内装部品である回転リール１２において、遊技者が視認可能な所定の位置に、レンチキュラーレンズ１３（図１には図示せず）が配設されている。
図２（ａ）に示すように、上記レンチキュラーレンズ１３は、合成樹脂のシート材１４と、上記シート材１４の表面に複数本並列して配置された細長半円柱形の凸レンズ１５、１５、１５．．．とから形成され、上記凸レンズ１５は、上記シート材１４の幅寸法１インチあたりに１００本乃至１３０本の範囲で配置されると共に、上記レンチキュラーレンズ１３の厚さ寸法Ｍは０．３５ｍ乃至０．５ｍｍの範囲に形成されている。
【００３１】
また、図１に示すように、上記スロットマシン１０は、筐体１１の内部に、複数のシンボルが描画された複数の回転リール１２、１２、１２を備えると共に、上記筐体１１の前面パネル２０には、上記回転リール１２、１２、１２の一部のシンボルを視認しうる表示窓２１が設けられている。
また、上記レンチキュラーレンズ１３は、上記回転リール１２、１２、１２の外周面部において、特定のシンボルの表示位置に配設されている。
【００３２】
また、図１に示すように、上記筐体１１の前面パネル２０の所定位置に、上記遊技台が遊技者に優位な状態に移行した場合に、遊技者に対して特定のシンボルを表示することにより通知する予告表示部２２を備え、上記レンチキュラーレンズ１３は、上記予告表示部２２に配設されている。
【００３３】
また、図１に示すように、上記筐体の前面パネル２０には、所定の装飾が施された装飾部２３が設けられ、上記レンチキュラーレンズ１３は、上記装飾部に配設されている。
【実施例１】
【００３４】
図１は本実施例に係るスロットマシン１０の前面パネル２０の構成を示す正面図である。
図１に示すように、本実施例に係るスロットマシン１０は、全体直方体に形成され、筐体１１の前面パネル２０の上端部には、機種名等を示す装飾部２３ａが配設され、上記装飾部２３の下方に回転リール１２、１２、１２の一部のシンボルを視認しうる表示窓２１が設けられている。
また、上記表示窓の近傍には、予告表示部２２が設けられている。
また、表示窓２１の下方には、機種固有の装飾が施された装飾部２３ｂが配設されている。
なお、上記構成のほか、上記表示窓２１の下端部には、回転リール１２、１２、１２を停止させる停止ボタン３０、３０、３０、コイン投入口３１が配設され、上記停止ボタン３０、３０、３０の下方にはコインの受け皿３２が配設されている。
また、上記筐体１１の幅方向外方には、回転リール１２、１２、１２を回転させるスロットレバー３３が装着されている。
【００３５】
図２（ａ）は、本実施例に係るレンチキュラーレンズ１３の厚さ方向断面図であり、図２（ｂ）は（ａ）の一部拡大図である。
【００３６】
図２（ａ）に示すように、シート材１４と凸レンズ１５の厚さ寸法の合計が０．３５ｍｍ、凸レンズ１５の配置密度１００ＬＰＩに形成されている。
また、上記凸レンズ１５は、上記凸レンズ１５の幅方向端縁部１６からの立ち上がり角度が約７５度となるように形成されている。
上記凸レンズ１５を使用した場合、同程度の凸レンズの配置密度を有する従来製品と比較して、約２倍の厚さ寸法が確保されていることから、約８０℃までの耐久温度性能を有しであり、図１に示すように、スロットマシン１０の回転リール１２等、高温となる内装部品に装着した場合であっても、変形等の品質劣化を引き起こすことが無く、また、厚さ寸法を確保することによって、より奥行き感のある立体画像を表示させることができる。
一方、同様の厚さ寸法を有する従来品と比較して、凸レンズ１５の配置密度が１００ＬＰＩと、同程度の厚さ寸法を有する従来製品と比較して約３０％程度向上していることから、より詳細な立体画像を表示させることが可能である。
【００３７】
本実施例の作用について説明する。
図１に示すように、本実施例に係るレンチキュラーレンズ１３は、従来のレンチキュラーレンズ比較して、高精度、且つ高い奥行き感のある立体画像の表示が可能であることから、図２に示すスロットマシン１０において、従来と同様方法で、回転リール１２、若しくは表示窓２１等にレンチキュラーレンズ１３を配置した場合であっても、従来製品と比較して、奥行き感があり、且つ高精度の立体画像を表示させることができるため、より遊技中の演出効果が高く、遊技者に対して与える期待感も大きくなる。
また、予告表示部２２にレンチキュラーレンズ１３を配設した場合には、ボーナスゲーム等の遊技者に有利な状態に移行する旨の通知を、より大きなインパクトで遊技者に通知できる。
従って、遊技中の遊技者の期待感は更に高まる。
なお、上記予告表示部２２に表示される図絵は、静止図絵でも、上記予告表示部２２の内部に専用の回転リール等を配置して、異なる図絵を切り替えて表示する構成とすることもできる。
更に、装飾部２３ａ、２３ｂにレンチキュラーレンズを配置した場合は、機種名、装飾等を、より際立たせることが可能であり、遊技場に入場した客の注目を引き付け、集客効果が向上する。
【００３８】
なお、本実施例のスロットマシンの構成は一例であり、表示窓の形状、回転リールの数、コイン投入部、停止ボタン、コインの受け皿、及びスロットレバーの位置、形状等は、全て機種によって異なるが、何れの機種であっても、本実施例と同様の作用及び効果を得ることができる。
また、レンチキュラーレンズの大きさは、装着する部位によって適宜変更することができる。
【産業上の利用可能性】
【００３９】
本考案は、スロットマシン等の遊技台に係り、特に筐体もしく内装部品において、遊技者が視認可能な所定位置にレンチキュラーレンズが装着された遊技台に適用可能である。
【符号の説明】
【００４０】
１０  スロットマシン
１１  筐体
１２  回転リール
１３  レンチキュラーレンズ
１４  シート部材
１５  凸レンズ
１６  凸レンズの幅方向端縁部
２０  前面パネル
２１  表示窓
２２  予告表示部
２３ａ装飾部
２３ｂ装飾部
３０  停止ボタン
３１  コイン投入口
３２  コインの受け皿
３３  スロットレバー
７０  スロットマシン
７１  回転リール
７２  特定シンボル位置
７３  レンチキュラーレンズ
７４  シート材
７５  凸レンズ
７６  シンボル
７６ａ右目で見える像
７６ｂ左目で見える像
７７  シンボル
７７ａ第１像
７７ｂ第２像
７８  表示窓
８０  レンチキュラーレンズ
８１  凸レンズ
８１ａ凸レンズ
８１ｂ凸レンズ
８１ｃ凸レンズ
８２  シート材
８３  凸レンズの幅方向端縁部
Ｍ  レンチキュラーレンズの厚さ寸法
【図１】
0003166707.tif 000003
【図２】
0003166707.tif 000004
【図３】
0003166707.tif 000005
【図４】
0003166707.tif 000006
【図５】
0003166707.tif 000007